(57)【要約】【課題】動作部材の動きを多様化した遊技機を提供する。【解決手段】遊技機の演出装置は、ギヤ部材２７５、小ギヤ２７７を備える。ギヤ部材２７５は軸線Ｃを中心に回転可能である。ギヤ部材２７５は、第一延設部２７５Ｄ、第二延設部２７５Ｅ、突出部２７５Ｆを含む。第一延設部２７５Ｄと第二延設部２７５Ｅは、ギヤ部材２７５の回転方向に沿って隙間２７６を空けて対向する。突出部２７５Ｆは第二延設部２７５Ｅから第一延設部２７５Ｄへ向けて突出する。小ギヤ２７７は隙間２７６に配置され、軸線Ｄを中心に回転可能である。ギヤ部材２７５が第一方向（矢印Ａ１方向）に回転すると、突出部２７５Ｆが小ギヤ２７７の歯部２７７Ａに噛み込み、小ギヤ２７７は軸線Ｄを中心とした回転が不能となる。ギヤ部材２７５が第二方向（矢印Ａ２方向）に回転すると、突出部２７５Ｆが小ギヤ２７７から離間し、小ギヤ２７７は軸線Ｄを中心に回転可能となる。【選択図】図６
2018103016.tif 000002
【特許請求の範囲】
【請求項１】
第一方向と、前記第一方向とは反対の第二方向とに回転する部材であって、回転方向に間隔を空けて配置した第一配置部及び第二配置部を有する第一回転部材と、
前記第一配置部又は前記第二配置部によって付勢されて、前記第一回転部材が回転する方向に移動する部材であって、移動に伴って前記第一回転部材に対して相対移動可能な動作部材と、
前記第一回転部材が前記第一方向に回転する場合、前記動作部材を、前記第一回転部材に対する相対移動が規制された状態にする一方、前記第一回転部材が前記第二方向に回転する場合、前記動作部材を、前記第一回転部材に相対移動可能な状態にする切替手段と
を備えたことを特徴とする遊技機。
【請求項２】
前記切替手段は、
前記動作部材に設けられた第一係合部と、
前記第二配置部に設けられ、前記第一回転部材が前記第一方向に回転する場合、前記第一係合部と係合する第二係合部と
を備えたことを特徴とする請求項１に記載の遊技機。
【請求項３】
前記切替手段は、
前記第一回転部材の回転中心となる第一軸線と直交する方向の一方側から前記動作部材と接触し、前記第一方向に沿って凹凸状に形成された凹凸部を有し、前記第一軸線を中心に回転可能な第二回転部材と、
前記第二回転部材に対して、前記第二方向の側を向く力を付与する付与手段と
を備えたことを特徴とする請求項１又は２に記載の遊技機。
【請求項４】
前記切替手段は、
前記動作部材に設けられた第一係合部と、
前記第二配置部に設けられ、前記第一回転部材が前記第一方向に回転する場合、前記第一係合部と係合する第二係合部と、
前記第一回転部材の回転中心となる第一軸線と直交する方向の一方側から前記動作部材と接触し、前記第一方向に沿って凹凸状に形成された凹凸部を有し、前記第一軸線を中心に回転可能な第二回転部材と、
前記第二回転部材に対して、前記第二方向の側を向く力を付与する付与手段と
を備え、
前記動作部材は、第一ギヤ部材であり、
前記動作部材は、前記第一軸線と平行な第二軸線を中心に回転することで、前記第一回転部材に対して相対移動し、
前記第一係合部は、前記第二軸線を中心とした回転方向に延びる第一歯部であり、
前記第二回転部材は、第二ギヤ部材であり、
前記凹凸部は、前記第一方向と平行に延び、前記第一歯部と噛み合う第二歯部であることを特徴とする請求項１に記載の遊技機。
【請求項５】
前記第二係合部は、前記第二配置部から前記動作部材に向けて突出し、前記第一回転部材が前記第一方向に回転する場合、前記第一歯部に噛み込むことが可能な突出部であることを特徴とする請求項４に記載の遊技機。
【請求項６】
前記第一配置部及び前記第二配置部は、前記動作部材を挟んで対向することを特徴とする請求項１から５のいずれかに記載の遊技機。
【発明の詳細な説明】
【技術分野】
【０００１】
本発明は、遊技機に関する。
【０００２】
従来、遊技機に設けられる演出装置が知られている。演出装置は、動力伝達機構を備える。例えば、特許文献１に開示の演出装置の動力伝達機構は、電動モータ、歯車列、ラック機構、及び始動扉を備える。歯車列は、回転部材の一例であるギヤを複数含む。電動モータの動力は、歯車列及びラック機構を介して、動作部材の一例である始動扉に伝達する。電動モータが一方向に回転すると、始動扉は所定方向に直線移動する一方、電動モータが一方向とは反対の他方向に回転すると、始動扉は所定方向とは反対方向に直線移動する。
【先行技術文献】
【特許文献】
【０００３】
【特許文献１】特開２００８−２２０６９４号公報
【発明の概要】
【発明が解決しようとする課題】
【０００４】
しかしながら、上記演出装置では、電動モータが一方向と他方向のいずれの方向に回転する場合であっても、始動扉は直線移動するので、始動扉の動きが単調になる。
【０００５】
本発明の目的は、動作部材の動きを多様化した遊技機を提供することである。
【課題を解決するための手段】
【０００６】
本発明の第一態様に係る遊技機は、第一方向と、前記第一方向とは反対の第二方向とに回転する部材であって、回転方向に間隔を空けて配置した第一配置部及び第二配置部を有する第一回転部材と、前記第一配置部又は前記第二配置部によって付勢されて、前記第一回転部材が回転する方向に移動する部材であって、移動に伴って前記第一回転部材に対して相対移動可能な動作部材と、前記第一回転部材が前記第一方向に回転する場合、前記動作部材を、前記第一回転部材に対する相対移動が規制された状態にする一方、前記第一回転部材が前記第二方向に回転する場合、前記動作部材を、前記第一回転部材に相対移動可能な状態にする切替手段とを備えたことを特徴とする。
【０００７】
上記構成によれば、第一回転部材が回転する方向によって、動作部材は異なる動きをする。よって、動作部材の動きを多様化した遊技機が実現される。
【０００８】
前記遊技機において、前記切替手段は、前記動作部材に設けられた第一係合部と、前記第二配置部に設けられ、前記第一回転部材が前記第一方向に回転する場合、前記第一係合部と係合する第二係合部とを備えてもよい。この場合、第二係合部が第一係合部に係合することで、切替手段は、動作部材を相対移動が規制された状態にできる。よって、遊技機は、動作部材の相対移動を規制する機構を簡易化できる。
【０００９】
前記遊技機において、前記切替手段は、前記第一回転部材の回転中心となる第一軸線と直交する方向の一方側から前記動作部材と接触し、前記第一方向に沿って凹凸状に形成された凹凸部を有し、前記第一軸線を中心に回転可能な第二回転部材と、前記第二回転部材に対して、前記第二方向の側を向く力を付与する付与手段とを備えてもよい。この場合、第一回転部材が第一方向に回転する場合、動作部材は、相対移動が規制され且つ凹凸部と接触した状態で、第一方向に移動する。これにより、第二回転部材は第一方向に回転する。一方、第一回転部材が第二方向に回転する場合、動作部材は、凹凸部と接触しながら第二方向に移動する。この場合、第二回転部材は、付与手段から付与される力によって、第二方向への回転が規制される。これにより、動作部材は第一回転部材に対して相対移動しながら第二方向に移動し、第二回転部材は回転しない。よって、遊技機は、第一回転部材の回転方向に応じて、第二回転部材の回転が許容される状態と、第二回転部材の回転が規制される状態とに切替えることができる。
【００１０】
前記遊技機において、前記切替手段は、前記動作部材に設けられた第一係合部と、前記第二配置部に設けられ、前記第一回転部材が前記第一方向に回転する場合、前記第一係合部と係合する第二係合部と、前記第一回転部材の回転中心となる第一軸線と直交する方向の一方側から前記動作部材と接触し、前記第一方向に沿って凹凸状に形成された凹凸部を有し、前記第一軸線を中心に回転可能な第二回転部材と、前記第二回転部材に対して、前記第二方向の側を向く力を付与する付与手段とを備え、前記動作部材は、第一ギヤ部材であり、前記動作部材は、前記第一軸線と平行な第二軸線を中心に回転することで、前記第一回転部材に対して相対移動し、前記第一係合部は、前記第二軸線を中心とした回転方向に延びる第一歯部であり、前記第二回転部材は、第二ギヤ部材であり、前記凹凸部は、前記第一方向と平行に延び、前記第一歯部と噛み合う第二歯部であってもよい。この場合、第一回転部材が第二方向に回転する場合に、動作部材は、第二回転部材に与える負荷を低減できる。よって、演出装置は、第一回転部材を安定して第二方向に回転させることができる。
【００１１】
前記遊技機において、前記第二係合部は、前記第二配置部から前記動作部材に向けて突出し、前記第一回転部材が前記第一方向に回転する場合、前記第一歯部に噛み込むことが可能な突出部であってもよい。この場合、突出部が第一歯部に噛み込むだけで、動作部材は第二軸線を中心とした回転が規制された状態になる。よって、遊技機は、動作部材の回転を規制する機構を簡易化できる。
【００１２】
前記遊技機において、前記第一配置部及び前記第二配置部は、前記動作部材を挟んで対向してもよい。この場合、動作部材は第一延設部と第二延設部の間に配置されるので、演出装置は組立性を向上できる。
【図面の簡単な説明】
【００１３】
【図１】パチンコ機１の正面図である。
【図２】遊技盤２の正面図である。
【図３】装飾体５５が下端位置にある演出装置３０の斜視図である。
【図４】装飾体５５の後側からの斜視図である。
【図５】装飾体５５の後側からの拡大斜視図である。
【図６】ギヤ部材２７５と二つの小ギヤ２７７の背面図である。
【図７】カムギヤ２８０の斜視図である。
【図８】揺動支持機構２００と回転支持機構３００の斜視図である。
【図９】第一延設部２７５Ｄが小ギヤ２７７を付勢するギヤ部材２７５の背面図である。
【図１０】装飾体５５が上端位置にある演出装置３０の斜視図である。
【図１１】装飾体５５が上端位置にある演出装置３０の別の斜視図である。
【図１２】第二延設部２７５Ｅが小ギヤ２７７を付勢するギヤ部材２７５の背面図である。
【図１３】摺動部２５０がカム面２８５に対して摺動する流れを示す説明図である。
【図１４】回転部材５１が回転し且つ揺動部材５２が揺動する流れを示す説明図である。
【図１５】第一変形例であるギヤ部材３７５等の背面図である。
【図１６】第二変形例であるギヤ部材４７５等の背面図である。
【発明を実施するための形態】
【００１４】
＜１．パチンコ機１の構成＞
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１５】
図１および図２を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１６】
遊技盤２の前面には、ガイドレール３で囲まれた略円形の遊技領域４が形成されている。発射機によって発射された遊技球は、遊技領域４内を流下する。遊技領域４の略中央に、枠状の装飾枠１４が配設されている。装飾枠１４の中央下側に、第一始動口１５が設けられている。第一始動口１５の直下に、開閉部材を備えた第二始動口１６が設けられている。第二始動口１６は、開閉部材が開放された場合にのみ遊技球が入賞可能である。第二始動口１６の下側に、遊技領域４の中央下端部まで流下した遊技球を回収するアウト口１７が設けられる。
【００１７】
遊技盤２の後面側には、ＬＣＤ（液晶ディスプレイ）等で構成される表示面２７を有する画像表示装置２８が設けられている。表示面２７は、正面視で装飾枠１４の内側に設けられ、前方に向けて画像を表示可能である。表示面２７には、特別図柄に基づく当たり判定（大当たり判定）の結果を遊技者に報知するための複数のデモ図柄が表示される。複数のデモ図柄は、遊技球が第一始動口１５および第二始動口１６のいずれかに入賞すると変動を開始し、その変動後に大当たり判定の結果に応じた組み合わせで確定表示される。
【００１８】
装飾枠１４の後方には、装飾体５５が設けられている。装飾体５５は、遊技盤２の後側に取り付けられる演出装置３０（図３参照）によって、上下動可能に支持される。演出装置３０は、画像表示装置２８およびスピーカ４８等と連動して、装飾体５５を上下動させる。これにより、演出装置３０は、報知演出等の様々な演出を実行する。尚、図２では、可動範囲の下端位置にある装飾体５５を実線によって図示し、可動範囲の上端位置にある装飾体５５を仮想線によって図示する。
【００１９】
遊技盤２の後面側には、主基板（図示外）、サブ基板（図示外）等が設けられている。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板は、主基板と同様に、ＣＰＵ、ＲＡＭ、およびＲＯＭが設けられている。サブ基板は、主基板から送信されるコマンドに従って、演出装置３０等を動作させ、演出に関する総合的な制御を実行する。
【００２０】
＜２．演出装置３０の構成＞
図３〜図８を参照し、演出装置３０の構成の概要を説明する。図３に示すように、本例の演出装置３０は、所謂「１８禁」をかたどった装飾体５５を動作させる装置である。装飾体５５は、背面視で略円形状の板状部材である支持体５９と、支持体５９を前側から覆うように設けられた回転部材５１と、回転部材５１の略前方に配置された揺動部材５２とを備える。詳細な説明は後述するが、支持体５９は、回転部材５１と揺動部材５２を支持する。支持体５９の中央部には、円形状に形成され且つ略前後方向を向く中央孔（図示外）が設けられている。以下、支持体５９の中央孔の軸線を「軸線Ａ」という。
【００２１】
回転部材５１は、正面視で略円形状の板状部材である。回転部材５１の中央部には、軸線Ａを中心として円形状に形成された中央孔（図示外）が形成されている。回転部材５１の中央孔は、装飾体５５の中央孔と前方から対向している。回転部材５１の前面５１Ａには、中央孔を跨いで直線状に延びる矩形凹部５１Ｂが形成されている。詳細な説明は後述するが、回転部材５１は、軸線Ａを中心に回転可能である。揺動部材５２は、平板状の部材であり、回転部材５１と略前後方向に並ぶ部材である。揺動部材５２の前面５２Ａは略平面状に形成されている。
【００２２】
本例の演出装置３０は、装飾体５５を上下動させつつ、揺動部材５２を、左右方向に延びる後述の軸線Ｅ（図８参照）を中心に揺動させ、さらに回転部材５１を、軸線Ａを中心に回転させる。また、演出装置３０は、回転部材５１を正面視で時計回りに回転させる場合には、揺動部材５２の揺動を規制する一方、回転部材５１を正面視で反時計回りに回転させる場合には、回転部材５１を正面視で反時計回りに回転させる。尚、軸線Ａは、装飾体５５の上下動に伴って、変位する。
【００２３】
本例の演出装置３０は、上下駆動機構４０（図３参照）、揺動支持機構２００（図５参照）、および回転支持機構３００（図８参照）を備える。上下駆動機構４０は、装飾体５５を上下動させる機構である。揺動支持機構２００は、装飾体５５の揺動部材５２を、左右方向に延びる後述の軸線Ｅ（図８参照）を中心に揺動可能に支持する機構である。回転支持機構３００は、装飾体５５の回転部材５１を、軸線Ａを中心として回転可能に支持する機構である。以下、演出装置３０が備える上記３つの機構の構成を順に詳説する。
【００２４】
＜２−１.上下駆動機構４０＞
図３に示すように、上下駆動機構４０は、支持部材６０、支軸７２、アーム部材７０、モータ６２、回転部材８１、固定部材９０、移動部材１１０、及び締結部１５０を備える。
【００２５】
支持部材６０は、左右方向に長い正面視で略矩形状の板状部材であり、装飾枠１４（図２参照）の下部の後側で固定されている。支軸７２は、支持部材６０の左端部から前方へ延びる。支軸７２は、アーム部材７０を回転可能に支持している。アーム部材７０は、前後方向と直交する方向に沿って、支軸７２から右側へ延びる。モータ６２は、支持部材６０の左下部に設けられている。モータ６２は、回転駆動することによって、アーム部材７０を、支軸７２を中心に回転させる。
【００２６】
アーム部材７０のうち、支軸７２から離間する方向の端部である右端部７５には、開口部７６が設けられている。開口部７６は、アーム部材７０の長手方向に長い長穴であり、右端部７５を前後方向に貫通する。
【００２７】
回転部材８１は、開口部７６に取り付けられている。回転部材８１は、正面視で略円形状の部材である。回転部材８１は、右端部７５に対して開口部７６の長手方向に相対移動可能であると共に、前後方向に延びる軸線（図示外）を中心に回転可能である。回転部材８１の外周面には、周方向に亘って延びる歯部である噛合部８１Ａが形成されている。
【００２８】
固定部材９０は、支持部材６０の前面のうち、アーム部材７０の右端部７５の後方となる部位に固定されている。固定部材９０は歯部９２を備える。歯部９２は、支持部材６０から前方へ立設すると共に、上下方向に直線状に延びる。歯部９２は、回転部材８１の噛合部８１Ａと左側から噛み合う。従って、アーム部材７０が支軸７２を中心に回転する場合に、回転部材８１は、歯部９２に沿って上方に移動しながら回転できる。アーム部材７０が、支軸７２から右下方に延びる回転位置である第一回転位置にある場合（図３参照）、回転部材８１は可動範囲の下端位置にある。
【００２９】
移動部材１１０は、回転部材８１の右方に設けられた、正面視で略矩形状の板状体である。移動部材１１０は、スライドレール１０５を介して、支持部材６０の前面の右部に取り付けられている。これにより、移動部材１１０は、支持部材６０によって上下動可能に支持されている。
【００３０】
移動部材１１０の左端部には、歯部１１２が形成されている。歯部１１２は、上下方向に直線状に延び、回転部材８１の噛合部８１Ａと右側から噛み合う。歯部１１２が噛合部８１Ａと噛み合うので、回転部材８１の回転及び上下動に伴って、移動部材１１０は上下動できる。回転部材８１が下端位置にある場合、移動部材１１０は下端位置にある。
【００３１】
締結部１５０は、移動部材１１０の上端部に設けられている。図４に示すように、締結部１５０は、第一板状部材１２２、軸部材１２８、および第二板状部材１３４を備える。第一板状部材１２２は、図示外の螺子部材を介して、移動部材１１０の上端部に締結されている。軸部材１２８は、左右方向に延び、第一板状部材１２２に固定されている。第二板状部材１３４は、第一板状部材１２２に対して前方に設けられ、軸部材１２８によって支持されている。第二板状部材１３４は、図示外の螺子部材を介して、支持体５９の下部に締結されている。従って、締結部１５０は、装飾体５５を移動部材１１０に固定し、装飾体５５は、移動部材１１０と一体的に上下動可能となる。以下、移動部材１１０と装飾体５５の可動範囲の夫々の下端位置を単に「下端位置」（図３参照）といい、移動部材１１０と装飾体５５の夫々の可動範囲の上端位置を単に「上端位置」（図１０、図１１参照）という。装飾体５５が下端位置にある場合、装飾体５５のうち上端部は、表示面２７の下端部と正面視で重なる（図２参照）。装飾体５５が上端位置にある場合、装飾体５５の略全体は、表示面２７の下部と正面視で重なる（図２参照）。
【００３２】
上記構成を有する上下駆動機構４０が装飾体５５を上下動させる動作の概要は、以下の通りである。モータ６２が回転駆動すると、第一回転位置にあったアーム部材７０は、支軸７２を中心に正面視で反時計回り（図３の矢印Ｐ方向）に回転する。アーム部材７０の回転に伴って、開口部７６の内壁面は、回転部材８１を上方に付勢すると共に、回転部材８１に対してアーム部材７０の長手方向に相対移動する。これにより、回転部材８１は、前後方向に延びる軸線（図示外）を中心に正面視で反時計回り（図３の矢印Ｑ方向）に回転しながら、上方に直線移動する。
【００３３】
回転部材８１が直線移動しながら回転移動することで、移動部材１１０と装飾体５５は、下端位置から上方に直線移動する。移動部材１１０と装飾体５５の夫々の直線移動量は、回転部材８１の直線移動量と回転部材８１の回転移動量との合計値となる。従って、移動部材１１０と装飾体５５の夫々の直線移動量は、増大する。
【００３４】
＜２−２．揺動支持機構２００＞
図４に示すように、揺動支持機構２００は、支持体５９の後面の上部に設けられる。揺動支持機構２００は、動力伝達部２７０および支持部２４０を備える。動力伝達部２７０は、支持体５９の後面の左上部に設けられた装飾体モータ２０２の駆動力を、揺動部材５２（図３参照）に伝達する。装飾体モータ２０２の駆動軸（図示外）には、モータギヤ２０２Ａが固定されている。支持部２４０は、揺動部材５２を、左右方向に延びる後述の軸線Ｅを中心に揺動可能に支持する。
【００３５】
＜２−２−１．動力伝達部２７０＞
図５〜図７を参照し、動力伝達部２７０の構成を説明する。尚、図５では、後述のカムギヤ２８０を支軸５９Ａから取り外した動力伝達部２７０の斜視図を図示する。図５に示すように、動力伝達部２７０は、連結ギヤ２７１、中間ギヤ２７３、ギヤ部材２７５、二つの小ギヤ２７７、およびカムギヤ２８０を備える。
【００３６】
連結ギヤ２７１は、装飾体モータ２０２のモータギヤ２０２Ａと連結するギヤである。中間ギヤ２７３は、連結ギヤ２７１と連結するギヤであり、軸線Ａを中心に回転可能である。中間ギヤ２７３の外周面には、回転方向に亘って延びる歯部２７３Ａが形成されている。歯部２７３Ａは連結ギヤ２７１と噛み合う。中間ギヤ２７３の中央部には、円形孔２７３Ｂ（図８参照）が形成されている。円形孔２７３Ｂは、軸線Ａを中心とした円形状であり、略前後方向を向く。円形孔２７３Ｂは、支持体５９の上述した中央孔（図示外）と後方から対向する。以下、軸線Ａを中心とした背面視で時計回り方向を、第一回転方向といい、第一回転方向とは反対方向を第二回転方向という。第一回転方向は、図７の矢印Ｍ１が向く方向である。第二回転方向は、図７の矢印Ｍ２が向く方向である。
【００３７】
ギヤ部材２７５は、支持体５９のうち中間ギヤ２７３よりも左斜め上方にある部位から後方に突出する支軸５９Ａによって、回転可能に支持されている。ギヤ部材２７５は、支軸５９Ａの軸線である軸線Ｃを中心に、回転可能である。軸線Ｃは略前後方向に延びる。以下、軸線Ｃを中心とした背面視で反時計回り方向を「第一方向」といい、第一方向とは反対方向を「第二方向」といい、第一方向と第二方向を総称する場合には「駆動ギヤ回転方向」という。第一方向は、図６、図７で示す矢印Ａ１が向く方向である。第二方向は、図６、図７で示す矢印Ａ２が向く方向である。
【００３８】
図６に示すように、ギヤ部材２７５は、前壁部２７５Ａ、歯部２７５Ｂ、二つの内側壁部２７５Ｃ、二つの第一延設部２７５Ｄ、二つの第二延設部２７５Ｅ、および二つの突出部２７５Ｆを備える。前壁部２７５Ａは、ギヤ部材２７５の前端部を形成する。前壁部２７５Ａの中央部には、支軸５９Ａが挿通される挿通孔２７５Ｇが形成されている。歯部２７５Ｂは、前壁部２７５Ａの周端部から後方に立設し、駆動ギヤ回転方向に亘って延びる。歯部２７５Ｂは中間ギヤ２７３の歯部２７３Ａ（図５参照）と噛み合う。従って、ギヤ部材２７５は、装飾体モータ２０２の回転駆動力を、中間ギヤ２７３から伝達される。本例では、歯部２７５Ｂと歯部２７３Ａは、互いに同じ歯数である。つまり、ギヤ部材２７５の外径は、中間ギヤ２７３の外径と同じである。二つの内側壁部２７５Ｃは、前壁部２７５Ａのうち、歯部２７５Ｂと挿通孔２７５Ｇの間にある部位から、後方へ立設する壁部である。二つの内側壁部２７５Ｃは、駆動ギヤ回転方向に沿って延びる。二つの内側壁部２７５Ｃは、挿通孔２７５Ｇを挟んで対向している。
【００３９】
二つの第一延設部２７５Ｄは、夫々、二つの内側壁部２７５Ｃの第二方向の端部から、歯部２７５Ｂまで略直線状に延びる壁部である。一方、二つの第二延設部２７５Ｅは、夫々、二つの内側壁部２７５Ｃの第一方向の端部から、歯部２７５Ｂまで略直線状に延びる壁部である。第一延設部２７５Ｄの延設方向と、第二延設部２７５Ｅの延設方向は、いずれも駆動ギヤ回転方向と交差する。本例では、二つの第一延設部２７５Ｄと二つの第二延設部２７５Ｅは、いずれも、前壁部２７５Ａと接続している。二つの突出部２７５Ｆは、夫々、第二延設部２７５Ｅの軸線Ｃに接近する側の端部から、第一方向へ突出する。
【００４０】
尚、二つの内側壁部２７５Ｃの一方に設けられた第一延設部２７５Ｄは、二つの内側壁部２７５Ｃの他方に設けられた第二延設部２７５Ｅと、駆動ギヤ回転方向に沿って、隙間２７６を挟んで対向している。即ち、ギヤ部材２７５の内側には、二つの隙間２７６が形成されている。隙間２７６は、軸線Ｃに対して対称となる位置に設けられている。
【００４１】
二つの小ギヤ２７７は、夫々、二つの隙間２７６に配置されている。即ち、二つの小ギヤ２７７は、駆動ギヤ回転方向に沿って互いに等間隔に配置されている。二つの小ギヤ２７７は、略前後方向に延びる軸線Ｄを中心に回転可能であると共に、軸線Ｃを中心に回転移動可能である。軸線Ｄは、小ギヤ２７７の軸線Ｃを中心とした回転移動に伴って、変位する。小ギヤ２７７の外径は、突出部２７５Ｆの先端部から第一方向に沿って第一延設部２７５Ｄに至る最短距離よりも短い。小ギヤ２７７の外周面には、歯部２７７Ａが周方向に亘って形成されている。つまり、歯部２７７Ａは、軸線Ｄを中心とした回転方向に沿って延びる。歯部２７７Ａを形成する各歯のうち、周方向に沿って互いに隣接する二つの歯の間には、突出部２７５Ｆが進入することが可能である。これにより、突出部２７５Ｆは歯部２７７Ａに噛み込み、小ギヤ２７７の軸線Ｄを中心とした回転を規制することが可能である。「噛み込み」は、「係合」の一例である。
【００４２】
ギヤ部材２７５の内側には、収容部２９９が形成されている。収容部２９９は、前壁部２７５Ａと、二つの内側壁部２７５Ｃとによって囲まれる空間である。
【００４３】
図７に示すように、カムギヤ２８０は、軸線Ｃに沿って延びる略円筒状であり、支軸５９Ａ（図５参照）によって回転可能に支持される。カムギヤ２８０の回転中心となる軸線は、ギヤ部材２７５の回転中心となる軸線と一致する。カムギヤ２８０の前部の外周面には、歯部２８１が形成されている。歯部２８１は、駆動ギヤ回転方向に亘って延びる凹凸部である。歯部２８１は、収容部２９９に収容されており、二つの小ギヤ２７７の夫々の歯部２７７Ａに対して軸線Ｃ側から噛み合っている（図６参照）。言い換えると、歯部２８１は、軸線Ｃと直交する方向のうち一方側から、歯部２７７Ａと接触している。
【００４４】
カムギヤ２８０の外周面の略前後方向の中心には、鍔部２８２が周方向に亘って形成されている。鍔部２８２は、二つの小ギヤ２７７と後方から対向している（図５参照）。つまり、鍔部２８２は、二つの小ギヤ２７７の後方への変位を規制している。
【００４５】
カムギヤ２８０の後端面には、二つのカム面２８５が形成されている。二つのカム面２８５は、駆動ギヤ回転方向に沿って並び、背面視で円環状をなす。つまり、二つのカム面２８５のうち、一方のカム面２８５の第二方向の端部は、他方のカム面２８５の第一方向の端部と接続する。
【００４６】
各カム面２８５は、第一カム面２８５Ａ、第二カム面２８５Ｂ、第三カム面２８５Ｃ、第四カム面２８５Ｄ、および第五カム面２８５Ｅを含む。第一カム面２８５Ａは、駆動ギヤ回転方向と平行に延びる。第二カム面２８５Ｂは、第一カム面２８５Ａの第二方向の端から、第二方向に沿って後側へ延びる。第二カム面２８５Ｂの第二方向の端部は、第一カム面２８５Ａよりも後側に配置されている。第三カム面２８５Ｃは、第二カム面２８５Ｂの第二方向の端から、第二方向に沿って前側へ延びる。第四カム面２８５Ｄは、第三カム面２８５Ｃの第二方向の端から、第二方向に沿って延びる。第四カム面２８５Ｄは、第一カム面２８５Ａよりも前側に配置されている。第五カム面２８５Ｅは、第四カム面２８５Ｄの第二方向の端から、第二方向に沿って後側へ延びる。第五カム面２８５Ｅの第二方向の端部は、もう一方のカム面２８５が含む第一カム面２８５Ａの、第一方向の端部と接続する。
【００４７】
＜２−２−２．支持部２４０＞
図８に示すように、支持部２４０は、支持壁部２４２，２４４、装飾体支持部２４６、連結部２４８、センサ２５３（図４参照）を備える。支持壁部２４２，２４４は、中間ギヤ２７３を挟んで対向する位置にて、支持体５９（図５参照）から後方へ立設する壁部である。支持壁部２４２，２４４は、側面視で略矩形状であり、左右方向に沿って左側から順に配置されている。支持壁部２４２，２４４の前後方向略中央部には、夫々、円形状の支持孔２４３が形成されている。尚、図８では、二つの支持孔２４３のうち、支持壁部２４４の支持孔２４３を図示する。以下、二つの支持孔２４３の中心を通過して左右方向に延びる軸線を軸線Ｅという。
【００４８】
装飾体支持部２４６は、架設部２４７、延設部２４９、および摺動部２５０を備える。架設部２４７は、中間ギヤ２７３の後側で支持壁部２４２，２４４を掛け渡す、背面視で略矩形状の壁部である。架設部２４７の左右方向の両端部には、夫々、軸部２４７Ａが形成されている。軸部２４７Ａは左右方向に延びる。各軸部２４７Ａが各支持孔２４３に挿入されることで、装飾体支持部２４６は、軸線Ｅを中心に揺動可能である。架設部２４７の左右方向の中央部には、軸線Ａを中心として円形状に形成された挿通孔（図示外）が形成されている。延設部２４９は、架設部２４７の上端部のうち、左右方向の中央部から上側へ延びる。摺動部２５０は、延設部２４９の上端部から、左方へ延びる円柱体である。本例では、摺動部２５０は、軸線Ｅを中心に前側又は後側に向けて揺動可能である。摺動部２５０は、カムギヤ２８０のカム面２８５（図７参照）に対して後方から接触している（図４参照）。
【００４９】
連結部２４８は、支持体５９の上述した中央孔（図示外）と、回転部材５１の上述した中央孔（図示外）とを通過して、揺動部材５２と架設部２４７の間を略前後方向に延びる円柱体である。本例の連結部２４８は、揺動部材５２の後面と一体的に形成されている。連結部２４８の後端部には、後方を向く締結穴（図示略）が形成されている。ネジ２４１が、架設部２４７の上述した挿通孔に挿通されて、連結部２４８の締結穴に締結されている。つまり、連結部２４８は、揺動部材５２と架設部２４７を連結しており、揺動部材５２は、装飾体支持部２４６によって、軸線Ｅを中心に揺動可能に支持されている。
【００５０】
揺動部材５２は架設部２４７よりも前方に位置する。従って、揺動部材５２の自重によって、架設部２４７は、軸線Ｅを中心に右側面視で反時計回り（図８で示す矢印Ｖ方向）に付勢されている。架設部２４７は、摺動部２５０がカム面２８５と接触することで、軸線Ｅを中心とした揺動を規制されている。尚、摺動部２５０はカム面２８５（図７参照）に向けて押圧されている。従って、カムギヤ２８０が軸線Ｃを中心にいずれの方向に付勢される場合であっても、カムギヤ２８０が付勢される方向とは反対方向を向く摩擦力が、摺動部２５０とカム面２８５との間で生じる。
【００５１】
図４に示すように、センサ２５３は、支持体５９のうち、支持壁部２４４の左方且つ架設部２４７の下方となる部位に設けられている。本例のセンサ２５３は、透過型のセンサである。センサ２５３は、架設部２４７の右端部の下部から下側へ突出する被検知板（図示外）を検知する。本例の被検知板は、架設部２４７と一体的に形成されており、軸線Ｅを中心に揺動部材５２と一体的に揺動可能である。センサ２５３が被検知板を検知する場合、揺動部材５２は、中間揺動位置（図１０、図１１等参照）にある。中間揺動位置は、揺動部材５２の後面が、回転部材５１の前面５１Ａと略平行になる揺動部材５２の揺動位置である。摺動部２５０が第一カム面２８５Ａと接触する場合に、揺動部材５２は中間揺動位置にある。
【００５２】
＜２−２−３.揺動部材５２の揺動動作の概要＞
装飾体モータ２０２と連結する揺動支持機構２００が上記構成を有することで、揺動部材５２は、中間揺動位置から以下のように揺動する。
【００５３】
図５に示すように、装飾体モータ２０２は、モータギヤ２０２Ａを、背面視で時計回りである第一特定方向（矢印Ｂ１方向）に回転させる。装飾体モータ２０２の回転駆動力は、連結ギヤ２７１を介して中間ギヤ２７３に伝達される。中間ギヤ２７３は、第一回転方向（矢印Ｍ１方向）に回転する。中間ギヤ２７３の回転に伴い、ギヤ部材２７５は第一方向（図１２の矢印Ａ１方向）に回転する。二つの突出部２７５Ｆは、夫々、二つの歯部２７７Ａと噛み込む（図１２参照）。
【００５４】
ギヤ部材２７５が更に第一方向に回転することで、第二延設部２７５Ｅは、突出部２７５Ｆを介して、小ギヤ２７７を第一方向に付勢する。二つの小ギヤ２７７は、夫々、軸線Ｄを中心とした回転が規制された状態で、ギヤ部材２７５と共に第一方向に回転移動する。歯部２７７Ａがカムギヤ２８０の歯部２８１と噛み合っているので、二つの小ギヤ２７７は、カムギヤ２８０（図５参照）を第一方向に回転させる。カムギヤ２８０は、摺動部２５０とカム面２８５との間に生じる摩擦力に抗って、第一方向に回転する。
【００５５】
第一方向に回転するカム面２８５は、摺動部２５０に対して摺動する。より詳細には、第一カム面２８５Ａ、第二カム面２８５Ｂ、第三カム面２８５Ｃ、第四カム面２８５Ｄ、および第五カム面２８５Ｅは、順に、摺動部２５０に対して摺動する。摺動部２５０とカム面２８５との接触位置は、前後方向に変位するので、装飾体支持部２４６は軸線Ｅを中心に揺動する。中間揺動位置にあった揺動部材５２は、装飾体支持部２４６と共に、軸線Ｅを中心に揺動する。これにより、揺動部材５２の前面５２Ａ（図３参照）が向く方向は、変化する。
【００５６】
一方、装飾体モータ２０２がモータギヤ２０２Ａを、第一特定方向とは反対方向である第二特定方向（図５の矢印Ｂ２方向）に回転させると、中間ギヤ２７３は、第二回転方向（図５の矢印Ｍ２方向）に回転する。中間ギヤ２７３の回転に伴い、ギヤ部材２７５は第二方向（図９の矢印Ａ２方向）に回転する。突出部２７５Ｆは歯部２７５Ｂから第二方向に離間し（図９参照）、二つの小ギヤ２７７は、いずれも、軸線Ｄを中心に回転可能な状態となる。ギヤ部材２７５が更に第二方向に回転することで、第一延設部２７５Ｄは、小ギヤ２７７に対して接触して第二方向に付勢する。二つの小ギヤ２７７は、夫々、第二方向に回転移動する。つまり、ギヤ部材２７５は小ギヤ２７７を回転させる駆動ギヤとして機能する。
【００５７】
この場合、第二方向へ回転移動する小ギヤ２７７によって、カムギヤ２８０の歯部２８１は、第二方向を向く力を受ける。しかしながら、カムギヤ２８０は、摺動部２５０がカム面２８５に押圧されることで生じる摩擦力によって、第二方向へは回転せずに静止した状態を維持する。換言すると、小ギヤ２７７が第二方向に回転移動する場合では、カムギヤ２８０が小ギヤ２７７から受ける力に応じて、摺動部２５０（図５参照）とカム面２８５（図５参照）との間で第一方向の側を向く摩擦力が生じ、カムギヤ２８０の第二方向への回転を規制する。つまり、小ギヤ２７７が第二方向に回転移動する場合において、摺動部２５０とカム面２８５は、カムギヤ２８０に対して第一方向の側を向く力を付与する付与手段として機能する。カムギヤ２８０が第二方向へ回転することなく静止したままであるので、二つの小ギヤ２７７は、第二方向に回転移動する場合、軸線Ｄを中心に回転し、歯部２８１に対して転動する。
【００５８】
＜２−３．回転支持機構３００＞
図８に示すように、回転支持機構３００は、支持体５９（図５参照）の後面に設けられる。中間ギヤ２７３、二つの係合部３０５、一対の被検知部３１０、およびセンサ３１５を備える。尚、図８では、二つの係合部３０５の一方のみを図示する。中間ギヤ２７３は、上述した揺動支持機構２００が備える、軸線Ａを中心に回転可能な回転体である。つまり、中間ギヤ２７３は、揺動支持機構２００と回転支持機構３００とによって兼用される回転体である。
【００５９】
二つの係合部３０５は、軸線Ａを挟んで対向する位置で中間ギヤ２７３に設けられた一対の爪部である。二つの係合部３０５は、中間ギヤ２７３の円形孔２７３Ｂを取り囲む内周面から、前方へ向けて延びる。二つの係合部３０５は、回転部材５１（図３参照）の上述した中央孔（図示外）に挿通され、中央孔を取り囲む内周面に対して内側から係合する。これにより、係合部３０５は、中間ギヤ２７３と回転部材５１を連結し、中間ギヤ２７３は回転部材５１を支持する。従って、係合部３０５、中間ギヤ２７３、および回転部材５１は、装飾体モータ２０２の回転駆動に伴い、軸線Ａを中心に一体的に回転可能となる。換言すると、中間ギヤ２７３は、装飾体モータ２０２の回転駆動に伴い、回転部材５１を、軸線Ａを中心に回転させることが可能となる。尚、二つの係合部３０５の間には、上述した連結部２４８が配置されている。
【００６０】
一対の被検知部３１０は、軸線Ａを挟んで対向する位置に配置された板状体であり、中間ギヤ２７３の歯部２７３Ａから軸線Ａとは離間する方向へ突出している。本例の被検知部３１０は、中間ギヤ２７３と一体的に形成されている。
【００６１】
センサ３１５は、中間ギヤ２７３に対して左下方となる位置で、支持体５９（図４参照）に取り付けられている。本例のセンサ３１５は透過型のセンサである。センサ３１５は、一対の被検知部３１０のうち、所定回転位置にあるいずれか一方の被検知部３１０を検知可能である。本例の所定回転位置は、軸線Ａの真下にある位置から、第二回転方向（矢印Ｍ２方向）に略４５°変位した位置である（図８参照）。
【００６２】
本例では、センサ３１５が所定回転位置にある被検知部３１０を検知したとき、回転部材５１は、初期回転位置（図３、図１０参照）にある。初期回転位置は、矩形凹部５１Ｂが正面視で左斜め上方から右斜め下方へ延びる回転部材５１の回転位置である。尚、本例では、中間ギヤ２７３の回転位置に応じて、揺動部材５２（図３参照）は所定の揺動位置にある。回転部材５１が初期回転位置にある場合、カムギヤ２８０の第一カム面２８５Ａ（図７参照）が摺動部２５０と接触し、揺動部材５２は中間揺動位置にある。
【００６３】
上記構成を有する回転支持機構３００の動作概要は、以下の通りである。図５に示すように、装飾体モータ２０２がモータギヤ２０２Ａを第一特定方向（矢印Ｂ１方向）に回転させると、中間ギヤ２７３は、第一回転方向（矢印Ｍ１方向）に回転する。回転部材５１は、中間ギヤ２７３と一体的に、第一回転方向に回転する。一方、装飾体モータ２０２がモータギヤ２０２Ａを第二特定方向（矢印Ｂ２方向）に回転させると、回転部材５１は、中間ギヤ２７３と一体的に、第二回転方向（矢印Ｍ２方向）に回転する。
【００６４】
＜３．演出装置３０の動作＞
図３、図５、図９〜図１４を参照し、演出装置３０が装飾体５５を変位させる動作を説明する。本例の演出装置３０は、装飾体５５を可動させる動作として、第一動作および第二動作等を実行する。第一動作は、装飾体５５が下端位置と上端位置との間を移動する場合に、揺動部材５２を中間揺動位置に位置させた状態で、回転部材５１を回転させる演出装置３０の動作である。第二動作は、第一動作に加えて、揺動部材５２を揺動させる演出装置３０の動作である。
【００６５】
＜３−１．演出装置３０の第一動作＞
図３、図５、図９、図１０を参照し、演出装置３０の第一動作を説明する。動作前の演出装置３０は、初期状態である。初期状態とは、装飾体５５が下端位置に位置し、回転部材５１が初期回転位置に位置し、さらに揺動部材５２が中間揺動位置に位置する演出装置３０の状態である。
【００６６】
図３に示すように、上下駆動機構４０のモータ６２の回転駆動に伴って、第一回転位置にあったアーム部材７０は、支軸７２を中心に正面視で反時計回り（矢印Ｐ方向）に回転し、移動部材１１０は、下端位置から上方に移動する。
【００６７】
図５に示すように、モータ６２（図３参照）の回転駆動と同時に、装飾体モータ２０２は、モータギヤ２０２Ａを第二特定方向（矢印Ｂ２方向）に回転駆動する。モータギヤ２０２Ａの回転に伴って、回転部材５１は、中間ギヤ２７３と共に、第二回転方向 （矢印Ｍ２方向）に回転する。
【００６８】
中間ギヤ２７３は、モータギヤ２０２Ａの第二特定方向への回転駆動力を、ギヤ部材２７５に伝達する。ギヤ部材２７５は、第二方向（図９に示す矢印Ａ２方向）に回転する。図９に示すように、二つの第一延設部２７５Ｄは、夫々、二つの小ギヤ２７７に対して接触して第二方向に付勢する。二つの小ギヤ２７７は、歯部２８１に対して転動しながら、軸線Ｃを中心に第二方向に回転移動する。カムギヤ２８０は回転しないので、揺動部材５２は中間揺動位置に位置する状態を維持する。従って、回転部材５１（図３参照）が第二方向に回転し、且つ揺動部材５２（図３参照）が中間揺動位置にある状態で、装飾体５５は、下端位置から上方に移動する。
【００６９】
アーム部材７０が、支軸７２から右上方に延びる回転位置である第二回転位置（図１１参照）まで回転すると、モータ６２は回転駆動を停止する。回転部材８１および移動部材１１０は、上端位置にて上方への移動を停止する。モータ６２が回転駆動を停止した後も、装飾体モータ２０２は継続して回転駆動する。従って、装飾体５５が上端位置まで移動した後も、回転部材５１は第二方向（矢印Ｍ２方向）に継続して回転する（図１０、図１１参照）。
【００７０】
装飾体５５が上端位置まで移動してから所定時間が経過した後、モータ６２は、装飾体５５の上昇時とは反対方向に回転駆動する。これにより、第二回転位置にあったアーム部材７０は、支軸７２を中心に正面視で時計回り（図１０の矢印Ｓ方向）に回転する。回転部材８１は、正面視で時計回りに回転しながら、上端位置から下方へ移動する。移動部材１１０および装飾体５５は、いずれも上端位置から下方へ移動する。
【００７１】
装飾体５５が上端位置から下方へ移動する場合も、装飾体モータ２０２は継続して回転駆動する。これにより、装飾体５５が下方に移動する場合も、回転部材５１は第二回転方向に継続して回転し、揺動部材５２は中間揺動位置にある状態を維持する。
【００７２】
アーム部材７０が第一回転位置（図３参照）まで回転すると、回転部材８１、移動部材１１０、および装飾体５５は、いずれも下端位置まで移動し、モータ６２は回転駆動を停止する。装飾体５５は下端位置にて停止する。また、センサ３１５が、一対の被検知部３１０の一方を検知したとき、装飾体モータ２０２は回転駆動を停止する。これにより、回転部材５１は初期回転位置にて停止する。演出装置３０は、初期状態に戻り、第一動作を終了する。
【００７３】
＜３−２．演出装置３０の第二動作＞
図３、図５、図８、図１２〜図１４を参照し、演出装置３０の第二動作を説明する。第二動作を実行する前の演出装置３０は、初期状態である。以下の説明では、第一動作と同様の装飾体５５の動作を簡略化して説明する。尚、図１３では、カム面２８５をカムギヤ２８０の回転方向に沿って展開した図を、摺動部２５０と共に模式的に図示する。また、図１３（ａ）で示す摺動部２５０の前後位置は、図１４（ａ）で示す揺動部材５２の揺動位置に対応する。同様に、図１３（ｂ）は図１４（ｂ）に、図１３（ｃ）は図１４（ｃ）に、図１３（ｄ）は図１４（ｄ）に夫々対応する。
【００７４】
図３、図５に示すように、上下駆動機構４０のモータ６２が、移動部材１１０を下端位置から上方へ移動させることで、装飾体５５は下端位置から上方へ移動する。同時に、装飾体モータ２０２がモータギヤ２０２Ａを第一特定方向（図５の矢印Ｂ１方向）に回転駆動する。装飾体モータ２０２の回転駆動に伴い、回転部材５１は、中間ギヤ２７３と共に、第一回転方向（図５で示す矢印Ｍ１方向）に回転する。中間ギヤ２７３は、モータギヤ２０２Ａの第一特定方向への回転駆動力を、ギヤ部材２７５に伝達する。
【００７５】
図１２に示すように、ギヤ部材２７５は、第一方向（矢印Ａ１方向）に回転する。突出部２７５Ｆが小ギヤ２７７の歯部２７７Ａと噛み込んだ状態で、第二延設部２７５Ｅは、小ギヤ２７７を第一方向に付勢する。二つの小ギヤ２７７は、カムギヤ２８０を第一方向に回転させる。これにより、カム面２８５（図７参照）は第一方向に回転し、揺動部材５２（図８参照）は軸線Ｅを中心に揺動する。
【００７６】
図８、図１３、図１４を参照し、揺動部材５２の揺動動作を詳説する。摺動部２５０は、第一カム面２８５Ａ、第二カム面２８５Ｂ、第三カム面２８５Ｃ、第四カム面２８５Ｄ、および第五カム面２８５Ｅに対して順に摺動する。この場合、摺動部２５０は、揺動部材５２の自重によって、カム面２８５に押圧されている。よって、摺動部２５０は、第一方向に回転するカム面２８５に対して、離間することなく安定して摺動できる。
【００７７】
摺動部２５０が第一カム面２８５Ａに対して摺動する間（図１３（ａ）参照）、摺動部２５０とカム面２８５の接触位置は、前後方向に変位しないので、揺動部材５２は中間揺動位置に位置する（図１４（ａ）参照）。
【００７８】
摺動部２５０が、第一カム面２８５Ａに次いで第二カム面２８５Ｂに対して摺動する間（図示外）、摺動部２５０とカム面２８５との接触位置は、後方に変位する。これにより、揺動部材５２（図８参照）は、軸線Ｅを中心に右側面視で反時計回り（図８の矢印Ｗ方向）に、中間揺動位置から揺動する。
【００７９】
摺動部２５０が、第二カム面２８５Ｂに次いで第三カム面２８５Ｃの第一方向の端と摺動したとき（図１３（ｂ）参照）、揺動部材５２は第一揺動位置（図１４（ｂ）参照）まで移動する。第一揺動位置は、軸線Ｅを中心とした揺動範囲のうち、右側面視で時計回り側の端の位置である。揺動部材５２が第一揺動位置にある場合、揺動部材５２の前面５２Ａは、回転部材５１の前面５１Ａが向く方向よりも上側を向く。また、揺動部材５２が第一揺動位置にある場合、摺動部２５０は可動範囲の後端位置にある。
【００８０】
摺動部２５０が第三カム面２８５Ｃに対して摺動する間（図１３（ｂ）参照）、摺動部２５０とカム面２８５との接触位置は前方に変位する。これにより、揺動部材５２は、軸線Ｅを中心に右側面視で反時計回り（図８で示す矢印Ｖ方向）に揺動する。揺動部材５２は、第一揺動位置から中間揺動位置を経由して、第二揺動位置（図１４（ｃ）参照）まで揺動する。第二揺動位置は、軸線Ｅを中心とした揺動範囲のうち、右側面視で反時計回り側の端の位置である。揺動部材５２が第二揺動位置にある場合、揺動部材５２の前面５２Ａの向く方向は、回転部材５１の前面５１Ａが向く方向よりも、下側を向く。また、揺動部材５２が第一揺動位置にある場合、摺動部２５０は可動範囲の前端位置にある。
【００８１】
摺動部２５０が、第三カム面２８５Ｃに次いで第四カム面２８５Ｄに対して摺動する間（図１３（ｃ）参照）、摺動部２５０とカム面２８５との接触部は前後方向に変位しない。これにより、揺動部材５２は第二揺動位置に位置する状態を維持する。
【００８２】
摺動部２５０が、第四カム面２８５Ｄに次いで第五カム面２８５Ｅに対して摺動する間（図示外）、摺動部２５０とカム面２８５との接触位置は後方に変位する。これにより、揺動部材５２は、軸線Ｅを中心に右側面視で時計回り（図８の矢印Ｗ方向）に、第二揺動位置から揺動する。摺動部２５０が、第五カム面２８５Ｅに次いで、再び第一カム面２８５Ａに対して摺動することで、揺動部材５２は中間揺動位置まで戻る。
【００８３】
従って、摺動部２５０が、カムギヤ２８０に形成された二つのカム面２８５の一方と摺動する間に、揺動部材５２は、中間揺動位置から、第一揺動位置と第二揺動位置を順に経由して、中間揺動位置まで戻る。摺動部２５０が、カムギヤ２８０の二つのカム面２８５に対して摺動することで、揺動部材５２は、第一揺動位置と第二揺動位置との間を繰り返し揺動し、正面視で上下動する。
【００８４】
図１４に示すように、装飾体５５が下端位置から上端位置まで移動すると、モータ６２（図３参照）は回転駆動を停止し、装飾体モータ２０２（図５参照）は継続して回転駆動する。装飾体５５が上端位置にある状態で、回転部材５１は第一回転方向（矢印Ｍ１方向）に回転し、揺動部材５２は、第一揺動位置と第二揺動位置との間を往復揺動する。
【００８５】
装飾体５５が上端位置まで移動してから所定時間が経過した後、モータ６２が回転駆動し、装飾体５５は、上端位置から下方へ移動する。装飾体５５が下方へ移動する間、回転部材５１は継続して回転し、揺動部材５２も継続して往復揺動する。装飾体５５が下端位置まで移動した後、モータ６２と装飾体モータ２０２は回転駆動を停止する。演出装置３０は、初期状態に戻り、第二動作を停止する。
【００８６】
本例のパチンコ機１では、大当たりの判定がなされたときに第一動作が実行され、報知後の大当たり遊技中に第二動作が実行される。演出装置３０は、第一動作と第二動作を順に実行することによって、大当たり判定がなされた後も、継続して遊技者の興趣を強く惹き付けることができる。
【００８７】
＜４．本開示の作用・効果の一例＞
以上、説明したように、装飾体モータ２０２がモータギヤ２０２Ａを第一特定方向に回転駆動すると、ギヤ部材２７５は第一方向に回転する。二つの小ギヤ２７７は、軸線Ｃを中心とした回転が規制された状態で、第一方向に回転移動する。これにより、二つの中間ギヤ２７３は、カムギヤ２８０を回転させ、揺動部材５２は、第一揺動位置と第二揺動位置との間を揺動する。一方、装飾体モータ２０２がモータギヤ２０２Ａを第二特定方向に回転駆動すると、ギヤ部材２７５は第二方向に回転する。二つの小ギヤ２７７は、第二方向に回転移動する。この場合、カムギヤ２８０は回転しないので、第二方向に回転移動する小ギヤ２７７は、歯部２８１に対して転動する。ギヤ部材２７５が回転する方向によって、二つの小ギヤ２７７は、異なる動作をする。よって、小ギヤ２７７の動きを多様化した演出装置３０が実現される。
【００８８】
小ギヤ２７７の動きが多様化することで、動力伝達部２７０は、装飾体モータ２０２の回転駆動力がカムギヤ２８０に伝達することが許容される状態と、装飾体モータ２０２の回転駆動力がカムギヤ２８０に伝達することが規制される状態とに切り替わる。言い換えると、小ギヤ２７７の動きが多様化することで、演出装置３０は、揺動部材５２が揺動することを許容する状態と、揺動部材５２が揺動することを規制する状態とに切り替わる。これにより、演出装置３０は、揺動部材５２が揺動する動作と、揺動部材５２が揺動しない動作とに切り替わることができる。従って、装飾体５５の動きは多彩になる。よって、演出装置３０は、装飾体５５を変位させる場合の演出効果を高めることができる。
【００８９】
また、装飾体モータ２０２がモータギヤ２０２Ａを回転駆動させる方向に応じて、回転部材５１は軸線Ａを中心に回転する。つまり、装飾体モータ２０２がモータギヤ２０２Ａを回転駆動させる方向に応じて、演出装置３０は、回転部材５１が回転し且つ揺動部材５２が揺動する状態と、回転部材５１が回転し且つ揺動部材５２が揺動しない状態とに切り替わる。装飾体モータ２０２が回転駆動する方向に応じて、装飾体５５の動作の仕方は、大きく異なる。よって、演出装置３０は、装飾体５５を変位させる場合の演出効果を更に高めることができる。
【００９０】
突出部２７５Ｆが歯部２７７Ａに噛み込むだけで、小ギヤ２７７は、軸線Ｄを中心とした回転が規制された状態になる。よって、演出装置３０は、小ギヤ２７７の回転を規制する機構を簡易化できる。
【００９１】
ギヤ部材２７５が第二方向に回転する場合、小ギヤ２７７は、歯部２８１と接触しながら第二方向に回転移動する。この場合、カムギヤ２８０は、第二方向への回転が規制されるので、歯部２８１と接触する小ギヤ２７７は、軸線Ｄを中心に回転しながら第二方向に回転移動する。一方、ギヤ部材２７５が第一方向に回転する場合、小ギヤ２７７は、軸線Ｄを中心とした回転が規制され且つ歯部２８１と接触した状態で、第一方向に回転移動する。これにより、カムギヤ２８０は、摺動部２５０とカム面２８５の間に生じる摩擦力に抗って、第一方向に回転する。つまり、演出装置３０は、カムギヤ２８０の回転が許容される状態と、カムギヤ２８０の回転が規制される状態とを切り替えることで、揺動部材５２の揺動が許容される状態と、揺動部材５２の揺動が規制される状態とに切り替えることができる。よって、演出装置３０は、小ギヤ２７７の動作状態に応じてカムギヤ２８０の回転動作を制御し、揺動部材５２に揺動動作をさせることができる。
【００９２】
また、小ギヤ２７７の動作状態に応じて、カムギヤ２８０の回転が許容される状態と、カムギヤ２８０の回転が規制される状態とに切り替わるので、装飾体モータ２０２の駆動力の伝達方法が多様化する。本例では、カムギヤ２８０には、装飾体支持部２４６を介して揺動部材５２が連結しており、カムギヤ２８０の第一方向への回転に伴って、揺動部材５２は揺動する。よって、演出装置３０は、ギヤ部材２７５から小ギヤ２７７に伝達される回転力を、揺動部材５２の揺動動作に変換できる。
【００９３】
歯部２７７Ａは、軸線Ｄを中心とした回転方向と平行に延び、歯部２８１は、駆動ギヤ回転方向と平行に延びる。ギヤ部材２７５が第二方向に回転する場合に、歯部２７７Ａを形成する各歯が一つずつ、歯部２８１を形成する各歯に接触し、小ギヤ２７７はカムギヤ２８０に対して転動する。よって、小ギヤ２７７から歯部２８１に与える負荷は、大きくなりにくい。よって、演出装置３０は、ギヤ部材２７５を安定して第二方向に回転させることができる。
【００９４】
突出部２７５Ｆは、第二延設部２７５Ｅから突出するだけで、小ギヤ２７７の歯部２７７Ａと噛み込むことができる。よって、演出装置３０は、小ギヤ２７７の回転を規制する機構を簡易化できる。
【００９５】
第一延設部２７５Ｄと第二延設部２７５Ｅは、小ギヤ２７７を挟んで対向する。組立作業者が、第一延設部２７５Ｄと第二延設部２７５Ｅとの間に形成された隙間２７６に、小ギヤ２７７を収容させるだけで、小ギヤ２７７は、ギヤ部材２７５の回転に伴って、軸線Ｃを中心に回転移動可能となる。よって、演出装置３０は、小ギヤ２７７の組立性を向上できる。
【００９６】
小ギヤ２７７は、駆動ギヤ回転方向に沿って等間隔に二つ配置される。従って、ギヤ部材２７５から各小ギヤ２７７に伝達される回転力が分散される。従って、各小ギヤ２７７に加わる負荷が低減するので、演出装置３０は長寿命化できる。
【００９７】
演出装置３０は、ギヤ部材２７５を回転させる装飾体モータ２０２を備える。従って、演出装置３０は、ギヤ部材２７５が回転を開始するタイミング、ギヤ部材２７５が回転する時間及び方向を、精度良く制御できる。よって、演出装置３０は、ギヤ部材２７５の回転を安定化できる。演出装置３０は、ギヤ部材２７５の回転を安定化することで、揺動部材５２の揺動を安定化できる。
【００９８】
カムギヤ２８０の歯部２８１は、小ギヤ２７７の歯部２７７Ａに対して、軸線Ｃ側から噛み合う。即ち、小ギヤ２７７は、歯部２８１に対して軸線Ｃとは反対側から噛み合う。小ギヤ２７７は、軸線Ｃに対して歯部２８１よりも離間する。従って、第一方向に回転移動する小ギヤ２７７は、カムギヤ２８０を第一方向に回転させ易い。よって、演出装置３０は、ギヤ部材２７５の第一方向への回転力を、カムギヤ２８０に効率良く伝達できる。本例では、装飾体モータ２０２がギヤ部材２７５を回転させるので、演出装置３０は、省電力化を実現できる。
【００９９】
摺動部２５０がカム面２８５に対して押圧される構成によって、小ギヤ２７７が第二方向に回転移動する場合において第一方向の側を向く摩擦力が発生する。摩擦力が発生すると、カムギヤ２８０の第一方向への回転は規制される。よって、演出装置３０は、カムギヤ２８０に対して第一方向の側を向く力を付与する手段である付与手段の構成を、簡易化できる。
【０１００】
第一回転方向に回転するカム面２８５に対して摺動部２５０が摺動することで、装飾体支持部２４６は、軸線Ｅを中心に揺動する。よって、演出装置３０は、ギヤ部材２７５の回転力を、装飾体支持部２４６の揺動力に変換できる。
【０１０１】
摺動部２５０は、揺動部材５２の自重によって、カム面２８５に押圧される。従って、摺動部２５０は、回転するカム面２８５に対して安定して摺動できる。よって、演出装置３０は揺動部材５２を安定して揺動させることができる。
【０１０２】
回転支持機構３００と揺動支持機構２００が兼用する中間ギヤ２７３は、装飾体モータ２０２と連結する。つまり、回転支持機構３００と揺動支持機構２００は、駆動源である装飾体モータ２０２を兼用する。演出装置３０は、回転支持機構３００と揺動支持機構２００の駆動源の個数を低減できる。よって、演出装置３０は、装飾体５５を変位させる機構を簡易化できる。
【０１０３】
カムギヤ２８０は、二つのカム面２８５を含み、第二カム面２８５Ｂと第三カム面２８５Ｃは、第二方向に沿って交互に配置されている。これにより、カムギヤ２８０が一回転する間に、揺動部材５２は二回、往復揺動する。従って、揺動部材５２の揺動動作は、高速化する。よって、演出装置３０は、装飾体５５を変位させる場合の演出効果を更に高めることができる。
【０１０４】
上記実施形態において、パチンコ機１は本発明の「遊技機」の一例である。ギヤ部材２７５は本発明の「第一回転部材」の一例である。第一延設部２７５Ｄは本発明の「第一配置部」の一例である。第二延設部２７５Ｅは本発明の「第二配置部」の一例である。小ギヤ２７７は本発明の「動作部材」、「第一ギヤ部材」の一例である。カムギヤ２８０は本発明の「第二回転部材」、「第二ギヤ部材」の一例である。歯部２７７Ａは本発明の「第一係合部」、「第一歯部」の一例である。歯部２８１は本発明の「凹凸部」、「第二歯部」の一例である。突出部２７５Ｆは本発明の「第二係合部」の一例である。摺動部２５０、カム面２８５、及び装飾体支持部２４６は、本発明の「付与手段」の一例である。軸線Ｃは本発明の「第一軸線」の一例である。軸線Ｄは本発明の「第二軸線」の一例である。
【０１０５】
本発明は、上記実施形態に限定されるものではなく、種々の変更が可能であることは勿論である。小ギヤ２７７によって回転させられる回転部材は、カムギヤ２８０であることに限定されない。例えば、小ギヤ２７７によって回転される回転部材は、略前後方向に沿って延びるギヤであってもよい。この場合、小ギヤ２７７によってギヤが回転させられることで、装飾体モータ２０２の回転駆動力が、例えば回転装飾体等の他の部材に伝達される構成であってもよい。
【０１０６】
摺動部２５０は、揺動部材５２の自重によって、カム面２８５に押圧されていることに限定されない。例えば、装飾体支持部２４６の延設部２４９と、支持体５９の後面との間に、僅かに圧縮された圧縮バネが配置されてもよい。この場合、摺動部２５０が、カム面２８５に対して押圧されない程度に接触し、摺動部２５０とカム面２８５との間で発生する摩擦力は、上記実施形態に比べ大きく低減する。小ギヤ２７７が第二方向に回転移動する場合では、例えば、支軸５９Ａとカムギヤ２８０との間で発生する摩擦力が第一方向の側を向くことで、カムギヤ２８０は第二方向への回転が規制されてもよい。この場合であっても、小ギヤ２７７は歯部２８１に対して転動できる。つまり、小ギヤ２７７が第二方向に回転移動する場合において、カムギヤ２８０のうち支軸５９Ａと接触する部位と、支軸５９Ａとが、カムギヤ２８０に対して第一方向の側を向く力を付与する付与手段として機能してもよい。
【０１０７】
小ギヤ２７７は、ギヤ部材２７５に二つ取り付けられていることに限定されない。例えば、小ギヤ２７７は、一つだけギヤ部材２７５に取り付けられてもよいし、三つ以上取り付けられてもよい。小ギヤ２７７が三つ以上取り付けられる場合、駆動ギヤ回転方向に沿って等間隔に配置されてもよいし、等間隔に配置されなくてもよい。
【０１０８】
突出部２７５Ｆは第二延設部２７５Ｅに設けられることに限定されない。突出部２７５Ｆは、第一延設部２７５Ｄから第二方向に突出していてもよい。この場合、ギヤ部材２７５が第二方向に回転すると、突出部２７５Ｆが歯部２７７Ａに噛み込み、小ギヤ２７７の軸線Ｄを中心とした回転は規制される。
【０１０９】
カムギヤ２８０に形成されるカム面２８５は、二つであることに限定されない。カム面２８５は一つであってもよいし、三つ以上であってもよい。例えば、カム面２８５が一つしか形成されていない場合、第二カム面２８５Ｂと第三カム面２８５Ｃは、駆動ギヤ回転方向に対する勾配が上記実施形態よりも緩やかになるように、形成されてもよい。この場合、モータギヤ２０２Ａの回転量に対する揺動部材５２の揺動量は、小さくなる。よって、演出装置３０は、揺動部材５２の揺動位置を精度良く制御できる。
【０１１０】
カムギヤ２８０の回転中心は、前後方向に延びる軸線Ｃであることに限定されない。カムギヤ２８０の回転中心は、例えば、左右方向に延びる軸線（以下、第一軸線という）であってもよい。この場合、カムギヤ２８０は、左右方向に延びる円筒状に形成され、且つ、カム面２８５は、カムギヤ２８０のうち第一軸線を取り囲む外周面に形成されてもよい。例えば、カム面２８５が第一軸線を中心とした回転方向に沿って、第一軸線に接近する方向に延びる部位と、第一軸線から離間する部位とを含み、摺動部２５０はカム面２８５に対して第一軸線とは反対側（例えば前側）から接触してもよい。これにより、カムギヤ２８０の第一軸線を中心とした回転に伴って、摺動部２５０とカム面２８５との接触位置は、前後方向に変位する。よって、揺動部材５２は軸線Ｅを中心に揺動する。
【０１１１】
演出装置３０は、装飾体５５を、上下方向に代えて左右方向に直線移動させる構成であってもよい。また、演出装置３０は、例えば、正面視で上下方向および左右方向に対して傾斜する方向に、装飾体５５を直線移動させる構成であってもよい。
【０１１２】
小ギヤ２７７は、第二延設部２７５Ｅによって付勢されて第一方向に回転移動することに限定されない。以下、図１５を参照し、ギヤ部材２７５（図６参照）の第一変形例であるギヤ部材３７５と、小ギヤ２７７（図６参照）の第一変形例である小ギヤ３７７について説明する。
【０１１３】
ギヤ部材３７５は、突出部２７５Ｆ（図６参照）を備えない点と、延設部３７５Ｂを備える点とを除いて、ギヤ部材２７５（図６参照）と同様の構成である。延設部３７５Ｂは、ギヤ部材３７５の前壁部２７５Ａのうち、隙間２７６の前側にある部位から、後方に向けて延びる柱状体である。延設部３７５Ｂは、前壁部２７５Ａと一体的に形成されており、第一延設部２７５Ｄに対して間隔を空けて配置されている。
【０１１４】
小ギヤ３７７は、軸線Ｄを中心として回転可能であると共に、軸線Ｃを中心に回転移動可能である。小ギヤ３７７は、歯部３７７Ａを備える。歯部３７７Ａは、歯部２７７Ａと同じ形状であり、カムギヤ２８０の歯部２８１と噛み合っている。小ギヤ３７７は、軸線Ｃを中心として円形状に形成された中央孔３７７Ｂが設けられている。中央孔３７７Ｂを取り囲む内周面には、周方向に亘って、複数の凹部３７７Ｃが形成されている。各凹部３７７Ｃは、軸線Ｄから離間する方向へ円弧状に凹む。各凹部３７７Ｃには、延設部３７５Ｂが収容可能である。
【０１１５】
上記構成よれば、ギヤ部材３７５が第一方向（矢印Ａ１方向）に回転すると、延設部３７５Ｂが、小ギヤ３７７のいずれか一つの凹部３７７Ｃに収容される。延設部３７５Ｂと凹部３７７Ｃは係合する。これにより、小ギヤ３７７は、軸線Ｄを中心とした回転が規制された状態となる。ギヤ部材３７５が更に第一方向に回転することで、延設部３７５Ｂは、小ギヤ３７７を第一方向に付勢して第一方向に回転移動させる。小ギヤ３７７は、カムギヤ２８０を第一方向に回転させる。これにより、揺動部材５２（図３参照）は、第一揺動位置と第二揺動位置との間を揺動できる。
【０１１６】
一方、ギヤ部材３７５が第二方向（矢印Ａ２方向）に回転すると、第一延設部２７５Ｄは、小ギヤ２７７に対して接触して第二方向に回転移動させる。このとき、延設部３７５Ｂが、中央孔３７７Ｂを取り囲む内周面のいずれの部位に対しても離間し、小ギヤ３７７は、軸線Ｄを中心とした回転が許容された状態となる。
【０１１７】
第一延設部２７５Ｄは、ギヤ部材３７５を更に第二回転方向に回転移動させる。これにより、小ギヤ３７７は、歯部２８１に対して転動しながら、第二方向に回転移動する。カムギヤ２８０は、第一方向に回転しない。
【０１１８】
以上のように、ギヤ部材３７５の回転方向によって、小ギヤ３７７は異なる動きをする。従って、小ギヤ３７７の動きは多様化する。また、延設部３７５Ｂは、前壁部２７５Ａから後方に延びる。従って、組立作業者が小ギヤ３７７を隙間２７６に配置させる場合に、延設部３７５Ｂは組付位置としての目印になる。また、隙間２７６に小ギヤ２７７が配置されると、延設部３７５Ｂが中央孔３７７Ｂの内側に配置されるので、小ギヤ３７７は、ギヤ部材３７５から脱落しにくい。よって、小ギヤ３７７のギヤ部材３７５への組立性は、向上する。
【０１１９】
本変形例において、ギヤ部材３７５は、本発明の「第一回転部材」の一例である。小ギヤ３７７は、本発明の「動作部材」の一例である。歯部３７７Ａは、本発明の「第一係合部」の一例である。延設部３７５Ｂは、本発明の「第二延設部」の一例である。
【０１２０】
また、小ギヤ２７７は、装飾体モータ２０２の回転駆動力を揺動部材５２に伝達する動力伝達部２７０（図５参照）に設けられることに限定されない。以下、図１６を参照し、本変形例で新たに設けられる軸連結部材４００と、ギヤ部材２７５の第二変形例であるギヤ部材４７５とについて説明する。本変形例では、ギヤ部材４７５は、動力伝達部２７０（図５参照）とは異なる機構に設けられている。
【０１２１】
軸連結部材４００は、略前後方向に延びる円筒状であり、内側に筒孔４０２Ａが形成されている。筒孔４０２Ａには、軸線Ｃに沿って延びる軸部材（図示外）が嵌め込まれている。軸部材は、駆動モータ（図示外）と連結する。従って、駆動モータの回転駆動に伴って、軸部材と軸連結部材４００は、一体的に、第一方向又は第二方向に回転可能である。
【０１２２】
円筒部４０２には、二つの第一延設部４１１、二つの第二延設部４１２、および二つ突出部４１６が設けられている。第一延設部４１１、第二延設部４１２、および突出部４１６は、いずれも円筒部４０２と一体的に形成されている。
【０１２３】
二つの第一延設部４１１および二つの第二延設部４１２は、円筒部４０２の外周面から、軸線Ｃとは反対側へ向けて延びる。二つの第一延設部４１１は、軸線Ｃを挟んで対称な位置に配置されている。同様に、二つの第二延設部４１２も、軸線Ｃを挟んで対称な位置に配置されている。各第二延設部４１２は、各第一延設部４１１に対して、第二方向に隙間４５０を空けて配置されている。
【０１２４】
隙間４５０には、小ギヤ２７７が配置されている。二つの小ギヤ２７７に対して、軸線Ｃとは反対側には、ギヤ部材４７５が設けられている。ギヤ部材４７５は、軸線Ｃを中心に回転可能な略円環状の回転部材である。
【０１２５】
ギヤ部材４７５は、内側歯部４７５Ａと外側歯部４７５Ｂを備える。内側歯部４７５Ａは、ギヤ部材４７５の内周面に形成された歯部であり、外側歯部４７５Ｂは、ギヤ部材４７５の外周面に形成された歯部である。内側歯部４７５Ａおよび外側歯部４７５Ｂは、いずれも、軸線Ｃを中心とした回転方向に亘って形成されている。内側歯部４７５Ａは、二つの小ギヤ２７７の夫々の歯部２７７Ａを噛み合う。外側歯部４７５Ｂは、特定ギヤ（図示略）と噛み合う。
【０１２６】
上記構成によれば、駆動モータ（図示外）の駆動に伴って、軸部材（図示外）が第一方向（矢印Ａ１方向）に回転すると、軸連結部材４００は第一方向に回転する。突出部４１６が小ギヤ２７７の歯部２７７Ａに噛み込んで係合する。これにより、小ギヤ２７７は、軸線Ｄを中心とした回転が規制された状態となる。軸連結部材４００が更に第一方向に回転することで、第二延設部４１２は、突出部４１６を介して、小ギヤ２７７を第一方向に付勢して第一方向に回転移動させる。歯部２７７Ａと内側歯部４７５Ａが噛み合っているので、小ギヤ２７７は、ギヤ部材４７５を第一方向に回転させる。つまり、小ギヤ２７７は、ギヤ部材４７５を回転させる駆動ギヤとして機能する。これにより、外側歯部４７５Ｂと噛み合う特定ギヤ（図示外）は、回転する。言い換えると、駆動モータ（図示外）の駆動力が特定ギヤに伝達することが、許容される。
【０１２７】
一方、駆動モータが軸連結部材４００を第二方向に回転すると、第一延設部４１１は、小ギヤ２７７に対して接触して第二方向に回転移動させる。このとき、突出部４１６が小ギヤ２７７に対して第二方向に離間し、小ギヤ２７７は、軸線Ｄを中心とした回転が許容された状態となる。
【０１２８】
第一延設部４１１が、小ギヤ２７７を第二方向に更に回転移動させることで、小ギヤ３７７は、第二方向への回転移動を開始する。このとき、ギヤ部材４７５は、小ギヤ２７７から、第二方向を向く力を受ける。しかしながら、この力は、静止している特定ギヤをギヤ部材４７５が回転させるために要する力よりも小さい。つまり、小ギヤ２７７が第二方向に回転移動する場合において、ギヤ部材４７５は、特定ギヤから第一方向を向く力を付与されて静止する。従って、第二方向へ回転移動する小ギヤ２７７は、軸線Ｄを中心に回転することで、内側歯部４７５Ａに対して転動する。小ギヤ２７７が回転しても、ギヤ部材４７５は回転しないので、駆動モータ（図示外）の駆動力が特定ギヤに伝達することが、規制される。
【０１２９】
以上のように、軸連結部材４００の回転方向によって、小ギヤ２７７は異なる動きをするので、小ギヤ２７７の動きは多様化する。本変形例において、軸連結部材４００は本発明の「第一回転部材」の一例である。ギヤ部材４７５は本発明の「第二回転部材」、「第二ギヤ部材」の一例である。内側歯部４７５Ａは本発明の「凹凸部」、「第二歯部」の一例である。
【０１３０】
尚、請求項、明細書および図面に記載される全ての要素（例えば、画像表示装置、始動口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【０１３１】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【０１３２】
＜５．備考＞
以下、本開示の構成とその作用効果を例示する。下記の構成に注記したカッコ書きは、対応する本開示の構成を例示する。
【０１３３】
遊技機（パチンコ機１）に設けられる演出装置であって、所定方向（略前後方向）に延びる第一軸線（軸線Ｃ）を中心に第一方向と、前記第一方向とは反対の第二方向との夫々の方向に回転する部材であって、前記第一方向と交差して延びる第一延設部（第一延設部２７５Ｄ）と、前記第一延設部に対して前記第二方向の側に間隔を空けて設けられ、且つ前記第二方向と交差して延びる第二延設部（第二延設部２７５Ｅ）とを有する第一回転部材（ギヤ部材２７５，３７５、軸連結部材４００）と、前記第一延設部又は前記第二延設部によって付勢されて、前記第一回転部材が回転する方向に移動する部材であって、移動に伴って前記第一軸線と平行な第二軸線（軸線Ｄ）を中心に回転可能な動作部材（小ギヤ２７７，３７７）と、前記第一回転部材が前記第一方向に回転する場合、前記動作部材を、前記第二軸線を中心とした回転が規制された状態にする一方、前記第一回転部材が前記第二方向に回転する場合、前記動作部材を、前記第二軸線を中心に回転可能な状態にする切替手段とを備えたことを特徴とする演出装置（演出装置３０）。
【０１３４】
上記構成によれば、第一回転部材が第一方向に回転する場合、動作部材は、第二軸線を中心に回転することなく、第一方向に移動する。一方、第一回転部材が第二方向に回転する場合、動作部材は、第二軸線を中心に回転しながら、第二方向に移動する。従って、第一回転部材が回転する方向によって、動作部材は異なる動きをする。よって、動作部材の動きを多様化した演出装置が実現される。
【０１３５】
前記演出装置において、前記切替手段は、前記動作部材に設けられた第一係合部（歯部２７７Ａ，３７７Ａ）と、前記第二延設部に設けられ、前記第一回転部材が前記第一方向に回転する場合、前記第一係合部と係合する第二係合部（突出部２７５Ｆ，４１６）とを備えてもよい。この場合、第二係合部が第一係合部に係合することで、切替手段は、動作部材を回転が規制された状態にできる。よって、演出装置は、動作部材の回転を規制する機構を簡易化できる。
【０１３６】
前記演出装置において、前記切替手段は、前記第一軸線と直交する方向の一方側から前記動作部材と接触し、前記第一方向に沿って凹凸状に形成された凹凸部（歯部２８１）を有し、前記第一軸線を中心に回転可能な第二回転部材（カムギヤ２８０、ギヤ部材４７５）と、前記第二回転部材に対して、前記第二方向の側を向く力を付与する付与手段（摺動部２５０、カム面２８５、装飾体支持部２４６）とを備えてもよい。この場合、第一回転部材が第一方向に回転する場合、動作部材は、回転が規制され且つ凹凸部と接触した状態で、第一方向に移動する。これにより、第二回転部材は第一方向に回転する。一方、第一回転部材が第二方向に回転する場合、動作部材は、凹凸部と接触しながら第二方向に移動する。この場合、第二回転部材は、付与手段から付与される力によって、第二方向への回転が規制される。これにより、動作部材は第二軸線を中心に回転しながら第二方向に移動し、第二回転部材は回転しない。よって、演出装置は、第一回転部材の回転方向に応じて、第二回転部材の回転が許容される状態と、第二回転部材の回転が規制される状態とに切替えることができる。
【０１３７】
前記演出装置において、前記切替手段は、前記動作部材に設けられた第一係合部（歯部２７７Ａ，３７７Ａ）と、前記第二延設部に設けられ、前記第一回転部材が前記第一方向に回転する場合、前記第一係合部と係合する第二係合部（突出部２７５Ｆ，４１６）と、前記第一軸線と直交する方向の一方側から前記動作部材と接触し、前記第一方向に沿って凹凸状に形成された凹凸部（歯部２８１）を有し、前記第一軸線を中心に回転可能な第二回転部材（カムギヤ２８０、ギヤ部材４７５）と、前記第二回転部材に対して、前記第二方向の側を向く力を付与する付与手段（摺動部２５０、カム面２８５、装飾体支持部２４６）とを備え、前記動作部材は、第一ギヤ部材（小ギヤ２７７，３７７）であり、前記第一係合部は、前記第二軸線を中心とした回転方向に延びる第一歯部（歯部２７７Ａ，３７７Ａ）であり、前記第二回転部材は、第二ギヤ部材（カムギヤ２８０、ギヤ部材４７５）であり、前記凹凸部は、前記第一方向と平行に延び、前記第一歯部と噛み合う第二歯部（歯部２８１、内側歯部４７５Ａ）であってもよい。この場合、第一回転部材が第二方向に回転する場合に、動作部材は、第二回転部材に与える負荷を低減できる。よって、演出装置は、第一回転部材を安定して第二方向に回転させることができる。
【０１３８】
前記演出装置において、前記第二係合部は、前記第二延設部から前記動作部材に向けて突出し、前記第一回転部材が前記第一方向に回転する場合、前記第一歯部に噛み込むことが可能な突出部（突出部２７５Ｆ，４１６）であってもよい。この場合、突出部が第一歯部に噛み込むだけで、動作部材は回転が規制された状態になる。よって、演出装置は、動作部材の回転を規制する機構を簡易化できる。
【０１３９】
前記演出装置において、前記第一延設部及び前記第二延設部は、前記動作部材を挟んで対向してもよい。この場合、動作部材は第一延設部と第二延設部の間に配置されるので、演出装置は組立性を向上できる。
【０１４０】
前記演出装置において、前記動作部材は、前記第一方向と平行な方向に沿って複数配置され、前記第一回転部材は、前記第一延設部及び前記第二延設部を、複数の前記動作部材の夫々に対応して備えてもよい。この場合、第一回転部材から動作部材に伝達される回転力が分散される。従って、各動作部材に加わる負荷が低減するので、演出装置は長寿命化できる。
【０１４１】
前記演出装置は、回転駆動することによって、前記第一回転部材を前記第一方向及び前記第二方向に回転させる駆動手段（装飾体モータ２０２）を備えてもよい。この場合、演出装置は第一回転部材の回転を安定化できる。
【０１４２】
前記演出装置において、前記動作部材は、前記凹凸部に対して前記第一軸線とは反対側に設けられてもよい。この場合、動作部材は、第一軸線に対して凹凸部よりも離間する。第一方向に移動する動作部材は、第二回転部材を第一方向に回転させ易い。よって、演出装置は、第一回転部材の第一方向への回転力を、第二回転部材に効率良く伝達できる。
【０１４３】
前記演出装置において、前記付与手段は、前記第二回転部材に接触する接触部（摺動部２５０）を備えてもよい。この場合、第一回転部材が第二方向に回転すると、接触部と第二回転部材が接触することで発生する摩擦力が第一方向の側を向くことで、第二回転部材に力が付与される。よって、演出装置は、付与手段の構成を簡易化できる。
【０１４４】
前記演出装置において、前記付与手段は、前記第二回転部材に設けられ、前記第一方向に沿って前記所定方向の一方側（前側）に延びる第一面（第二カム面２８５Ｂ）と、前記第一方向に沿って前記一方側とは反対の他方側（後側）に延びる第二面（第三カム面２８５Ｃ）とを含む面であって、前記第二回転部材の回転に伴って前記接触部に対して摺動するカム面（カム面２８５）と、前記接触部を支持し、前記接触部の前記カム面に対する摺動に伴い揺動する揺動支持部材（装飾体支持部２４６）とを備えてもよい。この場合、第一回転部材が第二方向に回転する場合、接触部とカム面とが接触することで生じる摩擦力が第二回転部材に付与されるので、第二回転部材の回転は規制される。一方、第一回転部材が第一方向に回転する場合、第二回転部材が第一方向に回転することで、接触部はカム面に対して摺動し、揺動支持部材は揺動する。従って、演出装置は、第一回転部材の回転力を、揺動支持部材の揺動力に変換できる。
【０１４５】
上記演出装置を備えた遊技機（パチンコ機１）。この場合、遊技機は、上記演出装置と同様の効果を奏する。
【符号の説明】
【０１４６】
１                    パチンコ機
３０                  演出装置
２４６                装飾体支持部
２５０                摺動部
２７５，３７５        ギヤ部材
２７５Ｄ，４１１      第一延設部
２７５Ｅ，４１２      第二延設部
２７５Ｆ，４１６      突出部
２７７，３７７        小ギヤ
２７７Ａ，３７７Ａ    歯部
２８０                カムギヤ
２８１                歯部
２８５                カム面
３７５Ｂ              延設部
４００                軸連結部材
４７５                ギヤ部材
４７５Ａ              内側歯部
Ｃ，Ｄ                軸線
【図１】
2018103016.tif 000003
【図２】
2018103016.tif 000004
【図３】
2018103016.tif 000005
【図４】
2018103016.tif 000006
【図５】
2018103016.tif 000007
【図６】
2018103016.tif 000008
【図７】
2018103016.tif 000009
【図８】
2018103016.tif 000010
【図９】
2018103016.tif 000011
【図１０】
2018103016.tif 000012
【図１１】
2018103016.tif 000013
【図１２】
2018103016.tif 000014
【図１３】
2018103016.tif 000015
【図１４】
2018103016.tif 000016
【図１５】
2018103016.tif 000017
【図１６】
2018103016.tif 000018